(57)【要約】  遊園地用消毒システムが、遊園地の乗り物の乗り物経路に沿って配置された消毒ステーションを含む。消毒ステーションは、乗り物経路に沿って乗り物車両が移動するときに乗り物車両を収容するように構成されたハウジングと、乗り物車両の表面に向けて紫外線を送るように構成された紫外線源と、乗り物経路に沿った乗り物車両の位置を検出し、乗り物車両がハウジングに対して第１の特定の位置に存在すると判断した時に紫外線源を作動させるように構成された制御システムとを含む。【選択図】図１
2021519147.tif 000002
【特許請求の範囲】
【請求項１】
遊園地用消毒システムであって、
前記遊園地の乗り物の乗り物経路に沿って配置された消毒ステーションを含み、該消毒ステーションは、
前記乗り物経路に沿って乗り物車両が移動するとき、該乗り物車両を収容するように構成されたハウジングと、
前記乗り物車両の表面に向けて紫外線を送るように構成された紫外線源と、
前記乗り物経路に沿った前記乗り物車両の位置を検出するように構成され、及び前記乗り物車両が前記ハウジングに対して前記乗り物経路沿いの第１の特定の位置にあると判断するとき、前記紫外線源を作動させるように構成された制御システムと、
を含む、システム。
【請求項２】
前記ハウジングは、前記乗り物車両を前記ハウジング内に封入するように構成されたアクセスドアを含み、前記制御システムは、前記乗り物車両が前記乗り物経路沿いの第２の特定の位置にあるとき、前記アクセスドアを作動させるように構成される、請求項１に記載のシステム。
【請求項３】
前記紫外線源は、前記乗り物車両の前記表面に対する前記紫外線源の位置を調整するように構成された可動部材上に配置される、請求項１に記載のシステム。
【請求項４】
前記可動部材は、前記ハウジングの内壁に取り付けられ、前記可動部材は、前記紫外線源を前記内壁に対して伸張及び後退させるように構成された第１の伸縮アームを含む、請求項３に記載のシステム。
【請求項５】
前記可動部材は第２の伸縮アームを含み、該第２の伸縮アームは、前記第１の伸縮アームと前記第２の伸縮アームとの間の動きを可能にするジョイントを介して前記第１の伸縮アームに結合される、請求項４に記載のシステム。
【請求項６】
前記可動部材は、前記乗り物経路に沿って移動するように構成された可搬型ベース上に配置され、前記可動部材は、前記乗り物車両に対して伸張及び該乗り物車両から後退するように構成された伸縮アームを含む、請求項３に記載のシステム。
【請求項７】
前記乗り物経路は、ゲストが前記乗り物車両から出るための降車領域と、前記ゲストが前記乗り物車両に入るための乗車領域とを含む、請求項１に記載のシステム。
【請求項８】
前記乗り物車両のコンパートメントの内外に移行するように構成されたさらなる紫外線源を含む、請求項７に記載のシステム。
【請求項９】
前記制御システムは、前記乗り物車両が前記乗り物経路の前記降車領域を過ぎて前記乗車領域に移動中であると判断したとき、前記さらなる紫外線源の位置を前記乗り物車両の前記表面に向けて調整するように構成される、請求項７に記載のシステム。
【請求項１０】
前記乗り物経路は、前記乗り物経路沿いの乗車領域及び降車領域からの前記消毒ステーションの前記ハウジングの視点を遮るように構成された障壁を含む、請求項１に記載のシステム。
【請求項１１】
前記消毒ステーションの前記ハウジングは、アクセスドアを含まない、請求項１０に記載のシステム。
【請求項１２】
前記紫外線源は、消毒剤スプレー又は噴霧器をさらに含む、請求項１に記載のシステム。
【請求項１３】
システムであって、
乗り物経路及び乗り物車両を含む遊園地乗り物であって、該乗り物車両は、該乗り物経路に沿って該乗り物の方向にゲストを輸送するように構成され、該乗り物経路は、該ゲストが該乗り物車両から出るための降車領域と、該ゲストが該乗り物車両に入るための乗車領域とを含む、遊園地乗り物と、
前記乗り物の方向に沿った前記乗り物経路の前記降車領域を過ぎて前記乗車領域の前に存在するように前記乗り物経路に沿って配置された消毒ステーションと、
を含み、前記消毒ステーションは、
前記乗り物車両が前記乗り物経路に沿って移動するとき、前記乗り物車両を収容するように構成されたハウジングと、
前記乗り物車両の表面に向けて紫外線を送るように構成された紫外線源と、
前記乗り物経路に沿った前記乗り物車両の位置を検出するように構成され、及び前記乗り物車両が前記ハウジングに対して特定の位置にあると判断するとき、前記紫外線源を作動させるように構成された制御システムと、
を含む、システム。
【請求項１４】
前記紫外線源は、前記乗り物車両の前記表面に対する前記紫外線源の位置を調整するように構成された可動部材上に配置される、請求項１３に記載のシステム。
【請求項１５】
前記制御システムは、前記乗り物車両の前記表面に対する前記紫外線源の位置を調整するための所定の位置順を含む、請求項１４に記載のシステム。
【請求項１６】
前記乗り物経路は、前記乗車領域及び前記降車領域からの前記消毒ステーションの視点を遮るように構成された障壁を含む、請求項１３に記載のシステム。
【請求項１７】
制御システムに結合されたセンサを使用して、ゲストが乗り物車両から出るための降車領域と該ゲストが該乗り物車両に入るための乗車領域とを含む遊園地乗り物の乗り物経路に沿った該乗り物車両の位置を検出するステップと、
前記乗り物車両が前記乗り物経路の前記降車領域から前記乗車領域に移動中であることを検出すると、前記制御システムを使用して、前記乗り物車両の表面に向けて紫外線を送るために消毒システムの紫外線源を作動させるステップと、
を含む、方法。
【請求項１８】
前記制御システムを使用して、前記乗り物車両が前記消毒システムのハウジングからある距離内に存在することを検出すると、該ハウジングのアクセスドアを作動させるステップを含む、請求項１７に記載の方法。
【請求項１９】
前記制御システムを使用して、前記消毒システムのハウジング内に取り付けられた可動部材を使用して前記乗り物車両の前記表面に対する前記紫外線源の位置を作動させるステップを含む、請求項１７に記載の方法。
【請求項２０】
前記制御システムを使用して、前記乗り物車両のコンパートメントから前記紫外線源を作動させるステップを含む、請求項１７に記載の方法。
【発明の詳細な説明】
【技術分野】
【０００１】
本開示は、一般に遊園地の分野に関する。具体的には、本開示の実施形態は、遊園地用消毒システムに関する。
【背景技術】
【０００２】
本節は、後述する本開示の様々な態様に関連し得る技術の様々な態様を読者に紹介するためのものである。本考察は、読者に背景事情を示して本開示の様々な態様のより良い理解を促す上で役立つと考えられる。従って、これらの記載は、先行技術を認めるものとしてではなく、上記の観点から読むべきものであると理解されたい。
【０００３】
遊園地は、各遊園地ゲスト（来園客）に固有の体験を提供する様々な乗り物及びその他の特徴を含む。場合によっては、ゲストが接する乗り物自動車(ride cars)、ハンドル、相互作用要素(interactive components)又はその他の特徴に細菌又はその他の望ましくない物質が蓄積することがある。従って、遊園地は、ゲストが頻繁に接する表面からこのような物質を除去するプロセスを含むことができる。現在では、既存の洗浄プロセスには時間が掛かり、従ってゲストが乗り物又はアトラクションを体験するための待ち時間が増加してしまうことがあると認識されている。また、いくつかの既存の洗浄プロセスは、遊園地の停止時間中にしか実行されない場合があることも認識されている。
【発明の概要】
【課題を解決するための手段】
【０００４】
以下、当初の特許請求の範囲の主題と同一範囲のいくつかの実施形態を要約する。これらの実施形態は、本開示の範囲を限定するものではなく、むしろ開示するいくつかの実施形態の概要を示すものにすぎない。実際には、本開示は、以下に示す実施形態と同様の又は異なる様々な形態を含むことができる。
【０００５】
１つの実施形態では、遊園地用消毒システム(sanitization system for an amusement park)が、遊園地の乗り物の乗り物経路(ride path)に沿って配置された消毒ステーション(sanitization station)を含む。消毒ステーションは、乗り物経路に沿って乗り物車両(ride vehicle)が移動する時に乗り物車両を収容するように構成されたハウジングと、乗り物車両の表面に向けて紫外線を送るように構成された紫外線源(ultraviolet light source)と、乗り物経路に沿った乗り物車両の位置を検出し、乗り物車両がハウジングに対して第１の特定の位置に存在すると判断した時に紫外線源を作動させるように構成された制御システムとを含む。
【０００６】
別の実施形態では、システムが、乗り物経路及び乗り物車両を含む遊園地乗り物であって、乗り物車両は、乗り物経路に沿って乗り物の方向にゲストを輸送するように構成され、乗り物経路は、ゲストが乗り物車両から退出するための降車領域(unloading region)と、ゲストが乗り物車両に入場するための乗車領域(loading region)とを含む、遊園地乗り物と、乗り物の方向に沿った乗り物経路の降車領域を過ぎて乗車領域の手前に存在するように乗り物経路に沿って配置された消毒ステーションとを含む。消毒ステーションは、乗り物車両が乗り物経路に沿って移動する時に乗り物車両を収容するように構成されたハウジングと、乗り物車両の表面に向けて紫外線を送るように構成された紫外線源と、乗り物経路に沿った乗り物車両の位置を検出し、乗り物車両がハウジングに対して特定の位置に存在すると判断した時に紫外線源を作動させるように構成された制御システムとを含む。
【０００７】
別の実施形態では、方法が、制御システムに結合されたセンサを使用して、ゲストが乗り物車両から退出するための降車領域と、ゲストが乗り物車両に入場するための乗車領域とを含む遊園地乗り物の乗り物経路に沿った乗り物車両の位置を検出するステップと、乗り物車両が乗り物経路の降車領域から乗車領域に移動中であることを検出した時に、制御システムを使用して、消毒システムの紫外線源を作動させて乗り物車両の表面に向けて紫外線を送るステップとを含む。
【図面の簡単な説明】
【０００８】
【図１】本開示の態様による遊園地乗り物用消毒システムの実施形態を示す図である。
【図２】本開示の態様による図１の消毒システムの消毒ステーションの実施形態の斜視図である。
【図３】本開示の態様による、アクセスドアが開放位置にある図２の消毒ステーションの実施形態の斜視図である。
【図４】本開示の態様による、１又は２以上の可動部材(movable member)に結合された紫外線源を有する図２及び図３の消毒ステーションの実施形態の斜視図である。
【図５】本開示の態様による、遊園地乗り物の乗り物経路沿いの障壁(barrier)の裏側に配置された消毒ステーションの概略図である。
【図６】本開示の態様による、乗り物車両のコンパートメント(compartment)内に配置された紫外線源を有する乗り物車両の実施形態を示す図である。
【図７】本開示の態様による、乗り物車両のコンパートメント内に配置された紫外線源の斜視図である。
【図８】本開示の態様による、可搬型ベースに固定された可動部材に結合された紫外線源の実施形態の斜視図である。
【図９】本開示の態様による可動紫外線源アセンブリの実施形態の斜視図である。
【図１０】本開示の態様による、図９の可動紫外線源アセンブリの実施形態の立面図である。
【図１１】本開示の態様による、図１〜図７の消毒システムの動作プロセスの実施形態のフローチャートである。
【発明を実施するための形態】
【０００９】
全体を通じて同じ部分を同じ符号によって示す添付図面を参照しながら以下の詳細な説明を読めば、本開示のこれらの及びその他の特徴、態様及び利点がより良く理解されるであろう。
【００１０】
以下、本開示の１又は２以上の具体的な実施形態について説明する。これらの実施形態を簡潔に説明するために、本明細書では実際の実装の特徴を全て説明していない場合もある。なお、あらゆる工学又は設計プロジェクトにおいて見られるようなあらゆるこのような実際の実装の開発においては、実装によって異なり得るシステム関連及びビジネス関連の制約の順守などの開発者の個別の目的を達成するために、数多くの実装固有の決定を行わなければならないと理解されたい。さらに、このような開発努力は複雑かつ時間の掛かるものとなり得るが、本開示の恩恵を受ける当業者にとっては設計、製作及び製造という日常的な取り組みであると理解されたい。
【００１１】
遊園地は、遊園地乗り物、実演ショー及びゲームなどの幅広い娯楽を呼び物とする。異なるタイプの娯楽は、遊園地におけるゲストの体験を強化する特徴を含むことができる。いくつかの例では、遊園地乗り物、ゲーム、相互作用設備及び／又はその他の特徴が、ゲストが頻繁に接する又は触れる表面（例えば、ハンドル、ノブ、座席、ボタン、ラップバー、シートベルト）を含む。このような表面には、ゲストが表面に接するにつれて、及び／又は表面が乗り物又は特徴の環境内の空気、水、ミスト及び／又はこぼれた固体又は液体に接するにつれて、細菌及び／又はその他の望ましくない物質が蓄積することがある。従って、遊園地は、表面を定期的に消毒して細菌又はその他の望ましくない物質を除去する手順を整えることができる。例えば、遊園地は、遊園地の休業時間中（例えば、遊園地が閉まっている時）に、消毒スプレー(sanitization spray)（例えば、石鹸又は抗菌液）を利用して、細菌及びその他の望ましくない物質に曝される恐れがある表面を拭くことができる。さらに、遊園地は、表面を清浄化するために特定のアトラクションを別様に停止することによって、遊園地のゲストの待ち時間を増加させてしまうこともある。
【００１２】
本開示の実施形態は、ゲストが頻繁に接する表面から紫外線を利用して細菌及びその他の望ましくない物質を定期的に除去する強化された遊園地乗り物用消毒システムに関する。例えば、消毒システムは、乗り物のゲストが乗り物車両から退出する降車地点(unloading point)と新たなゲストが乗り物車両に入場する乗車地点(loading point)との間の乗り物経路に沿って配置することができる。消毒システムは、通常運転に基づいてゲストが乗り物車両内に存在しない（又は利用できるのを待っている）乗り物経路沿いに配置することができる。従って、消毒システムは、紫外線が標的表面に到達するのをゲストが妨げないように配置することができる。また、乗り物車両に出入りするゲストが、最終的に乗り物車両の１又は２以上の表面を消毒する紫外線に曝されないようにすることもできる。いくつかの実施形態では、清浄化すべき表面に近接して紫外線源を配置する作動アーム又は可動部材上に紫外線源が配置される。他の実施形態では、紫外線源が乗り物車両内に配置され、紫外線が標的表面に到達するのをゲストが妨げないように、その後に乗り物車両が乗車エリアと降車エリアとの間に位置した時に（例えば、降車エリアを過ぎた位置から乗車エリアへの移動中に）作動する。後述する実施形態は、一般に紫外線を放出することに関するが、紫外線を放出するものとして図示し説明する特徴は、紫外線に加えて又はその代わりに石鹸と水の混合物又は別の洗浄液などの消毒ミスト(sanitizing mists)又はスプレーを放出するように構成することもできると理解されたい。
【００１３】
いずれにせよ、消毒システムは、細菌を死滅させるとともに、ゲストが頻繁に接する乗り物車両の表面から他の望ましくない物質を少なくとも部分的に除去するように構成される。従って、遊園地乗り物の消毒の頻度及び効率が高まり、これによって遊園地を訪れるゲストの体験を強化することができる。
【００１４】
図を参照すると、図１は、乗り物車両１２などの遊園地設備を清浄化する消毒システム１０の実施形態を示す図である。図１の例示的な実施形態に示すように、消毒システム１０は、乗り物車両１２が移動する乗り物経路１６に沿って配置された消毒ステーション１４を含むことができる。上述したように、消毒ステーション１４は、乗り物車両１２に向けて紫外線２０を放出して、ゲストが頻繁に接する乗り物車両１２の表面（例えば、座席、手すり、相互作用要素、ハンドル、ノブ、ボタン）から細菌及びその他の望ましくない物質を死滅させるように構成された紫外線源１８を含むことができる。紫外線２０は、乗り物車両１２の表面に接触して、表面上に存在し得る細菌及びその他の望ましくない物質（例えば、ウィルス）を除去する。いくつかの実施形態では、遊園地乗り物のゲストが乗り物車両１２の表面のいずれかの部分を覆わない（例えば、遮らない）ように、消毒ステーション１４が、乗り物経路１６のゲスト降車領域とゲスト乗車領域との間に配置される。他の実施形態では、消毒ステーション１４を、ゲストが乗り物車両１２内に存在する乗り物経路１６の一部に沿って（例えば、乗り物車両１２の移動方向に対する乗車領域と降車領域との間に）配置することができる。上述したように、いくつかの実施形態では、紫外線源１８を消毒ミスト又はスプレー源とすることもできる。例えば、消毒ステーション１４は、石鹸と水の混合物又は水などの洗浄液を乗り物車両１２の方へ向けるように構成された１又は２以上のノズル２１を含むことができる。
【００１５】
いくつかの実施形態では、乗り物車両１２が、乗り物経路１６に沿って移動し、消毒ステーション１４に進入して、乗り物車両１２を利用する遊園地乗り物の動作全体を通じて定期的に洗浄プロセスを受けるように構成される。従って、乗り物車両１２の消毒は、遊園地乗り物の営業時間中に（例えば、ゲストが遊園地乗り物の他の乗り物車両に乗っている時に）系統的に実行される。いくつかの例では、乗り物車両１２の清浄化を行うのに十分な時間にわたって乗り物車両１２が紫外線源１８に曝されるように、乗り物車両１２の速度が実質的にゼロまで減速又は低減される。例えば、乗り物車両１２の動きを停止及び／又は別様に低減して、例えば１秒〜１分、５秒〜４５秒、又は１０秒〜２０秒などの期間にわたって乗り物車両１２が紫外線源１８に曝されることを確実にすることができる。他の実施形態では、紫外線源１８が乗り物車両１２と共に移動することができる。例えば、所望の距離又は時間にわたって乗り物車両１２と共に移動する可動特徴部（例えば、機械的アーム、コンベヤベルト）に紫外線源１８を取り付けることができる。
【００１６】
いずれの場合にも、紫外線源１８は、乗り物車両１２の表面を消毒する(disinfect)紫外線２０を放出する。いくつかの実施形態では、紫外線２０が、乗り物車両１２の表面上に存在する一般的な細菌及び／又はその他の望ましくない物質を死滅させるのに適した所定の波長を含むことができる。紫外線の波長は、１２２〜２００ナノメータとすることができ、これによって乗り物車両１２の表面を清浄化する遠紫外（「ＦＵＶ」）線を放出することができる。他の実施形態では、紫外線２０が、（例えば、１０〜４００ナノメータの）いずれかの好適な波長を含むことができる。
【００１７】
これに加えて、又はこれとは別に、乗り物車両１２は、乗り物経路１６沿いの所定の位置においてやはり紫外線２０を放出する車上消毒要素(on-board sanitization component)２２を含むこともできる。例えば、消毒要素２２は、遊園地乗り物のゲストがもはや乗り物車両１２内に存在しない特定の位置（例えば、乗り物経路１６の降車領域と乗り物経路１６の乗車領域との間）で作動するように構成することができる。従って、消毒要素２２によって清浄化すべき乗り物車両１２の表面のいずれかを遊園地乗り物のゲストが遮ったり又は覆ったりすることはない。他の実施形態では、ゲストが乗り物車両１２内に存在する乗り物経路１６の一部に沿って（例えば、乗り物車両１２の移動方向に対する乗車領域と降車領域との間で）消毒要素２２が作動することができる。本明細書で図６に関して詳細に説明するように、消毒要素２２は、清浄化する表面に近接して紫外線源１８を配置するように乗り物車両１２のコンパートメントから伸張してコンパートメント内に後退する可動部材を含むことができる。可動部材は、ゲストが一般に接する乗り物車両１２の全ての表面を紫外線２０に曝すように紫外線源１８の位置を回転及び／又は別様に調整するように構成することができる。他の実施形態では、消毒要素２２が、乗り物車両１２に対して紫外線源１８が動かないように乗り物車両１２に固定して取り付けられた紫外線源１８を含むことができる。紫外線源１８は、ゲストが頻繁に接する乗り物車両１２の表面に紫外線を向けるように乗り物車両１２内に配置することができる。
【００１８】
さらに、消毒ステーション１４は、ノズル２１から分注された洗浄液２６が蓄積した液滴を乗り物車両１２の表面から除去するために利用できるドライヤー又はヒータ２４を含むことができる。いくつかの実施形態では、消毒ステーション１４が複数のノズル２１を含むことができ、ノズル２１の各々は、洗浄液２６を乗り物車両１２の表面に向けるように構成される。例えば、第１のノズル２１は、乗り物車両１２に石鹸と水の混合物を向けることができる。また、乗り物経路１６に沿った乗り物車両１２の移動方向に対して第１のノズル２１を過ぎて配置される第２のノズル２１は、乗り物車両１２上に蓄積した石鹸と水の混合物を除去するために乗り物車両１２に水を向けることができる。いくつかの実施形態では、ノズル２１から乗り物車両１２に洗浄液２６が向けられる速度が、乗り物車両１２が消毒ステーション１４内を進むにつれて異なることができる。例えば、第１のノズル２１は、第２のノズル２１よりも高い流量で乗り物車両１２に洗浄液２６を向けることも、第２のノズル２１よりも低い流量で乗り物車両に洗浄液２６を向けることもでき、或いは第１のノズル２１からの洗浄液２６の流量と第２のノズル２１からの洗浄液２６の流量とを実質的に同じとすることもできる。
【００１９】
いずれにせよ、乗り物車両１２が実質的に乾いた状態で消毒ステーション１４から退出するように、ドライヤー又はヒータ２４を利用して乗り物車両１２に空気又は暖気を向けて、石鹸と水の混合物及び／又は水からのあらゆる残留液体粒子を除去することができる。紫外線２０に加えて、又は紫外線２０の代わりに、１又は２以上のノズル２１から向けられる洗浄液２６を利用することもできる。いくつかの実施形態では、紫外線源１８が乗り物車両１２に向けて紫外線２０を放出するように作動する一方で、洗浄液２６は乗り物車両１２に向けられない。他の実施形態では、ノズル２１から洗浄液２６が噴霧又は別様に放出される一方で、紫外線源１８は停止される。さらなる実施形態では、紫外線２０及び洗浄液２６の両方が乗り物車両１２の表面に向けられる。
【００２０】
上述したように、消毒システム１０は、もはや乗り物車両１２内にゲストが存在しない乗り物経路１６の一部に沿って配置される。いくつかの例では、消毒システム１０がゲスト（例えば、乗車領域において遊園地乗り物を体験するために待っているゲスト）の視点内に配置されるが、実際の消毒プロセスは、ゲストに見えないように少なくとも実質的に遮ることによって、関連する乗り物のテーマとの不調和を排除することができる。例えば、図２に、ゲストから紫外線２０を遮断するためのアクセスドア５０を有する消毒システム１０の実施形態を示す。アクセスドア５０は、乗り物車両１２が消毒システム１０のハウジング５２内に移動できるようにするために（例えば、アクチュエータを介して）開くように構成される。ハウジング５２内に進入するとアクセスドア５０が（例えば、アクチュエータを介して）閉じて、乗り物車両１２はハウジング５２によって覆われる（例えば、ハウジング５２内に封入される(enclosed)）。従って、紫外線２０の伝達が実質的にハウジング５２から流出しないように妨げられる。これにより、紫外線２０を乗り物車両１２のさらに多くのエリアに向けやすくすることができる。例えば、アクセスドア５０の内部は、紫外線２０を乗り物車両１２の方に再誘導するように（ハウジング５２内部の他の側面と共に）鏡張りとすることができる。
【００２１】
いくつかの実施形態では、乗り物車両１２が十分に紫外線２０に曝されるように、乗り物車両１２の移動速度が低減及び／又は停止される。これに加えて、又はこれとは別に、乗り物車両１２の移動速度はハウジング５２の長さ５４に基づく。例えば、ハウジング５２の長さ５４が比較的短い時には、乗り物車両１２の移動速度が低減される。いくつかの実施形態では、乗り物車両１２の表面が十分に紫外線２０に曝されるように、乗り物車両１２の移動速度が一定期間にわたって完全に停止する。このような実施形態では、ハウジング５２の長さ５４を乗り物車両１２の長さ５６と実質的に同様とすることができる（例えば、ハウジング５２を単一の乗り物車両１２に対応するようなサイズにすることができる）。他の実施形態では、ハウジング５２の長さ５４が比較的長い時に、乗り物車両１２の移動速度が維持又は増加される。これに加えて、又はこれとは別に、ハウジング５２を、複数の乗り物車両１２を収容するようなサイズにすることもできる。さらに、いくつかの実施形態では、紫外線源１８が、ハウジング５２内で又は別様に乗り物経路１６に沿って乗り物車両１２と共に移動することもできる。
【００２２】
いずれにせよ、アクセスドア５０を有する端部６２とは反対側のハウジング５２の端部６０には第２のアクセスドア５８が配置される。従って、第２のアクセスドア５８は、乗り物車両１２が紫外線２０に曝された後にハウジング５２から退出して乗り物経路１６に沿って（例えば、乗車領域に向けて）進み続けることができるように開く。従って、乗り物車両１２は、遊園地乗り物が連続的に動作している時に、乗り物経路１６に沿った移動と清浄化の実施とを同時に及び／又は周期的に行うことができる。いくつかの実施形態では、アクセスドア５０及び第２のアクセスドア５８が、コントローラからの命令に基づいて実質的に同時に開閉する。他の実施形態では、アクセスドア５０及び第２のアクセスドア５８の開閉をコントローラの命令通りにオフセットさせる（例えば、乗り物車両１２を収容するためにアクセスドア５０を開閉した後に、乗り物車両１２を退出させるために第２のアクセスドア５８開閉する、など）ことができる。いずれの場合にも、アクセスドア５０及び５８の作動タイミングは、乗り物車両１２の所定の暴露時間又は乗り物車両１２の所定の移動長さに依存することができる。いくつかの実施形態では、消毒プロセスが作動中の間に両方のドア５０及び５８がコントローラによって閉じた状態に保たれ、その後に消毒プロセスが完了するとコントローラによって開かれる。第１のアクセスドア５０と同様に、第２のアクセスドア５８も、紫外線２０を乗り物車両１２の方に容易に再誘導できるように反射する内部を有することができる。
【００２３】
図３に、アクセスドア５０が開放位置８０にある消毒システム１０の実施形態を示す。図３の例示的な実施形態に示すように、ハウジング５２は、ハウジング５２の内壁８４に配置された１又は２以上の紫外線源８２を含む。従って、紫外線源８２は、乗り物車両がハウジング５２内に配置されると、乗り物車両１２に向けて紫外線２０を送る。いくつかの実施形態では、紫外線源８２が、ハウジング５２内でハウジング５２の内壁８４に対して様々な角度、距離及び位置に配置される。さらに、紫外線源８２の位置は、乗り物車両１２の構成（例えば、サイズ、形状、コンポーネント）に依存することもできる。すなわち、いくつかの実施形態では、紫外線源８２の位置付けが乗り物車両１２の形状に相関又は対応する。例えば、カートの形状の乗り物車両では、車として成形された乗り物車両と比べて紫外線源８２の位置が異なることができる。いずれにせよ、紫外線２０は、ゲストが頻繁に接する乗り物車両１２の表面（例えば、座席、ハンドル、ノブ、ボタン）に到達して細菌及びその他の望ましくない物質を表面から除去及び／又は死滅させるように構成される。
【００２４】
上述したように、消毒ステーション１４は、石鹸と水の混合物又は水などの洗浄液を乗り物車両１２の表面に向ける１又は２以上のノズル２１を含むことができる。また、消毒ステーション１４は、乗り物車両１２が消毒ステーション１４から退出する前又は退出する際に乗り物車両１２の表面から残留洗浄液を除去するように構成されたドライヤー又はヒータ２４を含むことができる。図３の例示的な実施形態に示すように、ノズル２１は、貯蔵タンク８６から洗浄液を受け取ることができる。洗浄液２６は、ポンプ８８を介して貯蔵タンク８６からノズル２１に向けることができる。いくつかの実施形態では、各ノズル２１がポンプ８８を介して貯蔵タンク８６から洗浄液２６を受け取る。他の実施形態では、各ノズル２１が対応する貯蔵タンク及びポンプを含むことができる。
【００２５】
さらに、洗浄液２６は、消毒ステーション１４の表面９０上に溜まることもある。従って、消毒ステーション１４の表面９０は、表面９０上に蓄積されたあらゆる洗浄液２６を受け取って消毒ステーションから離して導く配水管９２を含むことができる。いくつかの実施形態では、配水管９２が、洗浄液２６を廃液タンク９４に向けることができる。廃液タンク９４は、洗浄液２６が重力を介して配水管９２から廃液タンク９４に流れるように配水管９２に対して配置することができる。他の実施形態では、配水管９２が、洗浄液２６をリサイクルして消毒ステーション１４内で複数回利用できるように、洗浄液２６を再び貯蔵タンク８６に向ける。洗浄液２６は、ポンプ９６によって配水管９２から貯蔵タンク８６に戻すことができる。さらに、配水管９２と貯蔵タンク８６との間にフィルタ９８を配置して、貯蔵タンク８６に到達する前に洗浄液２６から粒子及び／又は望ましくない物質を除去することもできる。
【００２６】
図４の例示的な実施形態に示すように、ハウジング５２は、ハウジング５２の内壁８４に対する紫外線源８２の位置を調整するように構成された１又は２以上の可動部材１００を含むことができる。例えば、図４に示すように、ハウジング５２は２つの可動部材１００を有することができる。各可動部材１００は、対応する紫外線源１０１（例えば、調整可能な紫外線源）を含む。これに加えて、又はこれとは別に、可動部材１００は、洗浄液２６を乗り物車両１２に向けるノズル２１のうちの１つを含むこともできる。いくつかの実施形態では、可動部材１００が、乗り物車両１２に対して伸張及び後退するように構成された伸縮アーム１０２を含む。同様に、可動部材１００は、第１の伸縮アーム１０６がハウジングの内壁８４に対して第１の軸１０８を中心に回転できるようにする第１のジョイント１０４を含むことができる。これに加えて、又はこれとは別に、可動部材１００は、第１の伸縮アーム１０６を第２の伸縮アーム１１０に結合することによって第２の伸縮アーム１０９が第１の伸縮アーム１０６及び／又は内壁８４に対して第２の軸１１１を中心に回転できるようにする第２のジョイント１０９を含むこともできる。可動部材１００は、関節運動、回転、伸張、後退、ラチェット運動、屈曲、スピン、又は本実施形態に従う他の動きを行って、乗り物車両１２の表面上への紫外線２０の放出を容易にすることができる。
【００２７】
図４の例示的な実施形態に示すように、消毒システム１０は、センサ１１３に結合された制御システム１１２を含む。また、制御システム１１２は、対応する紫外線源１０１及び１又は２以上の固定紫外線源１１４を有する１又は２以上の可動部材１００にも結合される。さらに、いくつかの実施形態では、制御システム１１２が、アクセスドア５０及び／又は第２のアクセスドア５８にも結合される。従って、制御システム１１２は、センサ１１３から乗り物車両１２の位置を示すフィードバックを受け取る。乗り物車両１２が消毒ステーション１４（例えば、ハウジング５２）から所定の距離に位置すると、制御システム１１２は、アクセスドア５０を開き、及び／又は紫外線源１０１及び／又は１又は２以上の固定紫外線源１１４を作動させる。制御システム１１２は、乗り物車両１２がハウジング５２に（例えば、ハウジング５２の端部６２の２ヤード以内、５ヤード以内、１０ヤード以内に）近接している時にアクセスドア５０を開放位置８０に作動させるように構成することができる。
【００２８】
いくつかの実施形態では、センサ１１３が、乗り物車両１２が完全にハウジング５２内に配置されたことを示すフィードバックを制御システム１１２に提供することができる。すると、制御システム１１２は、紫外線源１０１及び／又は固定紫外線源１１４を作動させる前にアクセスドア５０を作動させてアクセスドア５０を閉じることができる。従って、乗り物車両１２は、紫外線源１０１及び／又は固定紫外線源１１４から紫外線２０が放出される前にハウジング５２内に封入される（例えば、アクセスドア５０及び５８がそれぞれ閉じられる）。従って、ハウジング５２から（例えば、アクセスドア５０及び５８を介して）紫外線２０が流出するのが阻止されるので、乗り物経路１６に近いゲストが紫外線２０を観察することが妨げられる。制御システム１１２は、乗り物車両がハウジング５２内に封入されたと判断すると、アクセスドア５０が閉鎖位置に到達した時点で紫外線源１０１及び／又は１又は２以上の固定紫外線源１１４を作動させることができる。制御システム１１２は、所定の時間（例えば、所定の暴露時間）後に紫外線源１０１及び／又は１又は２以上の固定紫外線源１１４が停止した後で、第２のアクセスドア５８をさらに開くことができる。さらに、制御システム１１２は、乗り物車両１２が完全にハウジング５２の外に（例えば、ハウジング５２の端部６０から所定の距離に）存在することを検出すると、第２のアクセスドア５８を閉鎖位置に作動させることができる。
【００２９】
いくつかの例では、可動部材１００が、ゲストが頻繁に接する乗り物車両１２の複数の表面を紫外線２０に曝すように調整される。例えば、制御システム１１２は、メモリ１１８に記憶された命令（予めプログラムされたルーチン）を実行するプロセッサ１１６を含むことができる。いくつかの実施形態では、メモリ１１８が、乗り物車両１２の構成（例えば、サイズ、形状）、及びゲストが最も頻繁に接する乗り物車両１２の表面（例えば、ハンドル、手すり、ノブ、ボタン、座席）の位置に基づく所定の順序(sequence)の可動部材１００の動きのための命令を含む。１つの実施形態では、乗り物車両１２の形状を（例えば、カメラを介して）マッピングし、これを使用して可動部材１００を誘導することができる。このマッピングは消毒プロセスの一部として行うことができ、異なる形状の車両に対応することができる。しかしながら、マッピングは、同様の形状の乗り物車両１２の組について１回行えばよい。他の実施形態では、この順序が、ゲストが接し得る乗り物車両１２の実質的に全ての表面を曝すように可動部材１００の位置を調整するように構成される。いずれにせよ、乗り物車両１２に向けて紫外線２０が送られ、乗り物経路１６の乗車領域と乗り物経路１６の降車領域との間で乗り物車両１２の表面から細菌及びその他の望ましくない物質が除去される。
【００３０】
図２〜図４を参照して説明した消毒システム１０の実施形態は、消毒ステーション１４のハウジング５２を取り囲むアクセスドア５０及び５８を含むが、他の実施形態は、アクセスドア５８を含まないこともできる。例えば、図５は、ゲストの視点から遮られた乗り物経路１６の一部に配置された消毒ステーション１４の実施形態の概略図である。例えば、乗り物経路１６は、ゲストが乗り物車両１２から退出して遊園地の他のアトラクションを体験するための降車領域１４０を含む。また、乗り物経路１６は、ゲストが乗り物車両１２に入場して乗り物車両１２に関連する遊園地乗り物を体験するための乗車領域１４２を含む。図５の例示的な実施形態に示すように、乗り物経路１６の降車領域１４０と乗車領域１４２との間には障壁１４４（例えば、壁、トンネル、部屋、コンパートメント）が配置される。障壁１４４は、テーマ別体験の持続性を途切れさせてしまう恐れがある消毒ステーション１４を見ることなくゲストが遊園地乗り物を体験できるようにするよう構成される。
【００３１】
いくつかの実施形態では、紫外線２０がゲストに到達するのを障壁１４４が遮るので、図５の消毒ステーション１４はアクセスドア５０及び５８を含まない。紫外線源１０１及び／又は固定紫外線源１１４が連続して延びることにより、乗り物車両１２が乗り物経路１６に沿って移動する際の乗り物車両１２の紫外線２０への暴露を高めることができる。換言すれば、乗り物車両１２は、アクセスドア５０及び／又は５８の閉鎖時に紫外線源１０１及び／又は固定紫外線源１１４が作動するのを待つことなく、ハウジング５２に進入すると直ちに紫外線２０に曝されることができる。
【００３２】
さらに、図５の消毒ステーション１４のハウジング５２は、乗り物車両１２を完全に取り囲まないこともできる。例えば、ハウジング５２は、乗り物車両１２が壁によって完全に封入又は包囲されないように互いに間隔を空けた複数の梁及び／又は他の構造支持部材を含むことができる。しかしながら、紫外線源１０１及び／又は固定紫外線源１１４は、内壁８４（例えば、図４）の場合と同様にハウジング５２の梁及び／又は他の構造支持部材に取り付けることができる。
【００３３】
図６に、乗り物の継続時間中に乗り物車両１２のコンパートメント１６２内に配置されて、乗り物経路１６の降車領域１４０と乗車領域１４２との間で乗り物車両１２の１又は２以上の表面１６３に向かって作動できる紫外線源１６０を含む乗り物車両１２の実施形態を示す。例えば、コンパートメント１６２内に配置されて光を当てるのが別様に困難なエリア（例えば、乗り物車両１２の床板を取り囲むエリア）を含む乗り物車両の１又は２以上の表面１６３に紫外線源１６０を向けるように構成できる可動部材１６６を、乗り物車両１２上に配置された制御システム１６４（及び／又は無線通信を介した制御システム１１２）によって作動させることができる。可動部材１６６は、例えばセンサ１１３を介して降車領域１４０と乗車領域１４２との間で乗り物車両１２の位置が検出された時点で作動することができる。
【００３４】
図６の例示的な実施形態に示すように、可動部材１６６は、コンパートメント１６２から外向きに延びるとともにコンパートメント１６２に向けて内向きに後退するように構成された伸縮ロッド１７０を含む。他の実施形態では、可動部材１６６が、乗り物車両１２が降車領域１４０と乗車領域１４２との間に位置する時に表面１６３に紫外線源１６０を向け、乗り物車両１２が乗車領域１４２に到達したら（及び、例えば乗り物車両１２が乗車領域１４２と降車領域１４０との間に存在する時に）紫外線源１６０をコンパートメント１６２内に戻すように構成された、他の好適な折り畳み式の、回転式の、伸張式の、可撓性の、関節運動式の、ラチェット式の、又は別様に動くアーム又は部材を含むことができる。
【００３５】
他の実施形態では、紫外線源１６０をコンパートメント１６２内に配置しないこともできる。従って、ゲストは、乗り物の継続時間中に紫外線源１６０を見ることができる。いくつかの実施形態では、紫外線源１６０を乗り物の特定のテーマに関連する乗り物車両１２上の特徴に見せ掛けることができる。非限定的な例として、紫外線源１６０を、乗り物車両１２内に位置するボタン又は鏡に見せ掛けることもできる。このような実施形態では、乗り物車両１２の位置が乗り物経路１６の降車領域１４０と乗車領域１４２との間に存在すると判定されるまで紫外線源１６０が非作動状態を保つ。従って、乗り物車両１２の表面１６３が紫外線２０に曝されるのをゲストが遮ることはない。
【００３６】
図７は、乗り物車両１２内に配置できるコンパートメント１７２の実施形態の斜視図である。本明細書で使用するコンパートメント１７２は、乗り物車両１２のハンドル１７６を含む壁１７４内の切り抜き部を含むことができる。ハンドル１７６は、ゲストが乗り物車両１２のドアを開くために、及び／又は乗り物車両１２が乗り物経路１６に沿って移動する際にゲストが握る支持特徴部として利用することができる。図７の例示的な実施形態に示すように、コンパートメント１７２は、１又は２以上の表面１８０上の紫外線源１７８を含むことができる。これに加えて、又はこれとは別に、表面１８０は、ハンドル１７６に洗浄液２６を向けるように構成された１又は２以上のノズル２１を含むこともできる。
【００３７】
紫外線源１７８から放出される紫外線２０、及び／又はノズル２１からの洗浄液２６（例えば、水、石鹸、水と石鹸の混合物、泡、又は別の好適な洗剤）を利用して、ハンドル１７６及び／又はコンパートメント１７２の１又は２以上の表面１８０を消毒することができる。ハンドル１７６及び／又はコンパートメント１７２の１又は２以上の表面１８０は、遊園地乗り物のゲストが頻繁に接することによって病原菌、細菌又は望ましくない物質の伝播を引き起こす恐れがあり、これらを紫外線２０及び／又は洗浄液２６によって除去することができる。
【００３８】
いくつかの実施形態では、紫外線源１７８及び／又はノズル２１がゲストの視点から少なくとも部分的に遮られるように、紫外線源１７８及び／又はノズル２１をコンパートメント１７２の表面１８０と実質的に同じ高さにすることができる。他の実施形態では、紫外線源１７８及び／又はノズル２１が表面１８０に対して引っ込んでいる。いずれの場合にも、紫外線源１７８及び／又はノズル２１は、コンパートメント１７２に対して実質的に固定されて、紫外線２０及び／又は洗浄液２６をハンドル１７６及び／又はコンパートメント１７２の表面１８０に向けるように構成することができる。紫外線２０及び／又は洗浄液２６は、乗り物車両１２が乗り物経路１６に沿って（例えば、乗り物車両１２の移動方向に対して）降車領域から乗車領域に移動している時にハンドル１７６及び／又は表面１８０に向けることができる。他の実施形態では、（例えば、乗り物経路１６に沿った乗り物車両１２の移動方向に対する乗車領域と降車領域との間で）ゲストが乗り物車両１２内に位置する時に、紫外線２０及び／又は洗浄液２６がハンドル１７６及び／又は表面１８０に向けられる。従って、紫外線２０及び／又は洗浄液２６は、乗り物車両１２内のゲストが紫外線２０及び／又は洗浄液２６を観察又は別様に体験して紫外線２６及び／又は洗浄液２６を遊園地乗り物の体験に関連付けることができるように、遊園地乗り物のテーマに関連することができる。
【００３９】
さらに別の実施形態では、紫外線源１６０を、乗り物経路１６に沿って乗り物車両１２と共に移動するように構成された可搬型ベース１９２に固定された可動部材１９０上に配置することができる。例えば、図８は、可搬型ベース１９２に固定された可動部材１９０の実施形態の斜視図である。図８の例示的な実施形態に示すように、可動部材１９０は、ジョイント１９８を介して第２の伸縮アーム１９６に結合された第１の伸縮アーム１９４を含む。第１の伸縮アーム１９４は、乗り物経路１６の表面２００に対する紫外線源１６０の高さを調整するように構成される。さらに、第２の伸縮アーム１９６は、乗り物車両１２の表面に対する紫外線源１６０の位置を調整するように構成される。いくつかの実施形態では、第２の伸縮アーム１９６が乗り物車両１２の表面に対する紫外線源１６０の位置をさらに調整できるように、ジョイント１９８が、第１の伸縮アーム１９４に対する軸２０２の周囲の第２の伸縮アーム１９６の回転を可能にする。
【００４０】
いくつかの実施形態では、可搬型ベース１９２が、乗り物車両１２の乗り物経路１６に隣接して配置された軌道２０４に沿って移動するように構成される。従って、可搬型ベース１９２は、可動部材１９０、従って紫外線源１６０が乗り物車両１２と共に移動することを可能にする。軌道２０４は、ベルト、磁石、ローラ又は他の好適なコンポーネントなどの、可搬型ベース１９２の動きを引き起こす様々なコンポーネントを含むことができる。他の実施形態では、可搬型ベース１９２が、軌道２０４に沿った可搬型ベース１９２の動きを引き起こすモータ２０６を含む。
【００４１】
可搬型ベース１９２は、乗り物車両１２と共に軌道２０４に沿って移動するように構成することができる。いくつかの実施形態では、センサ２０８（例えば、近接センサ又は他の好適な位置センサ）を利用して、乗り物経路１６に沿った乗り物車両１２の位置を検出する。図示の実施形態に示すように、センサ２０８は可搬型ベース１９２上に含まれる。他の実施形態では、センサ２０８が、乗り物経路１６に隣接して、及び／又は乗り物車両１２を検出するのに適した他の位置に配置される。いずれにせよ、軌道２０４に沿った可搬型ベース１９２の移動は、乗り物経路１２に沿った乗り物車両１２の位置を示すセンサ２０８からのフィードバックに基づいて開始又は別様に調整することができる。例えば、いくつかの実施形態では、乗り物車両１２が乗り物経路１６沿いの所定の位置に到達したことをセンサ２０８が検出するまで、可搬型ベース１９２は実質的に静止している。センサ２０８は、可動部材１９０の制御システム２１０及び／又はモータ２０６に通信可能に結合することができる。従って、センサ２０８からのフィードバックを利用して軌道２０４に沿った可搬型ベース１９２の移動を導く。さらに、センサ２０８は、可搬型ベース１９２が軌道２０４に沿って移動するにつれて、乗り物車両１２の位置を継続的にモニタすることができる。従って、制御システム２１０は、可搬型ベース１９２の速度を乗り物車両１２の速度と（例えば、乗り物車両１２の速度の１０％以内、５％以内又は１％以内で）実質的に一致させるように構成することができる。
【００４２】
これに加えて、又はこれとは別に、制御システム２１０は、可搬型ベース１９２の速度、及び／又は可搬型ベース１９２が（例えば、軌道２０４を介して）乗り物経路１６に沿って移動する距離を、所与の乗り物車両１２の所望の清浄化量に基づいて調整するように構成することもできる。例えば、いくつかの実施形態では、乗り物車両１２が、紫外線源１６０（又は洗浄液２６）によって除去すべき（例えば、カメラ、センサ又はオペレータによって検出された）望ましくない物質を比較的大量に含むことがある。この場合、可搬型ベース１９２の速度及び／又は移動距離を、望ましくない物質を除去するのに適した時間にわたって乗り物車両１２が紫外線２０及び／又は洗浄液２６に曝されるように（例えば、制御システム２１０及び／又はオペレータを介して）調整することができる。この調整は、自動とする（例えば、予めプログラムしておく）ことも、又はオペレータ制御式とすることもできる。
【００４３】
いくつかの実施形態では、軌道２０４を、乗り物経路１６に沿った乗り物車両１２の移動方向に対する降車領域１４０と乗車領域１４２との間に配置することができる。従って、紫外線源１６０が乗り物車両１２の表面に紫外線を向けるように作動する際には乗り物車両１２内にゲストが存在せず、紫外線が乗り物車両１２の表面に到達するのを妨げることはない。さらに、軌道２０４は、可搬型ベース１９２が乗り物経路１６の乗車領域１４２に到達したら降車領域１４０に向けて逆戻りするような、実質的に円形とすることができる。従って、軌道２０４は、可搬型ベース１９２が乗り物経路１６の降車領域１４０に到達した後続の乗り物車両１２の表面を曝すことを可能にする巡回路(circuit)を形成する。
【００４４】
図９は、乗り物経路１６の少なくとも一部に沿って乗り物車両１２と共に移動するように構成された可動構造２１０を含むことができる消毒ステーション１４の実施形態の斜視図である。図９の例示的な実施形態に示すように、可動構造２１０は、第１の支柱２１２、第２の支柱２１４、及び第１の支柱２１２を第２の支柱２１４に結合する横断支柱(cross post)２１６を含む。第１の支柱２１２、第２の支柱２１４及び横断支柱２１６の各々は、乗り物車両１２に向けて紫外線２０を送るように構成された複数の紫外線源２１８を含むことができる。これに加えて、又はこれとは別に、第１の支柱２１２、第２の支柱２１４及び／又は横断支柱２１６は、乗り物車両１２に洗浄液２６（例えば、水、石鹸と水の混合物、洗浄泡、ワックス、又は他の好適な物質）を向けるように構成された１又は２以上のノズル２１を含むこともできる。
【００４５】
いずれにせよ、可動構造２１０は、乗り物経路１６の第１の側２２４に第１の軌道２２２が配置されて乗り物経路１６の第２の側２２８に第２の軌道２２６が配置された一対の軌道２２０に沿って移動するように構成することができる。従って、第１の支柱２１２及び第２の支柱２１４は、ベルト、磁石、ローラ、ホイール又は他の好適なコンポーネントなどの、一対の軌道２２０に沿った第１の支柱２１２及び第２の支柱２１４の動きを引き起こす様々なコンポーネントを含むことができる。
【００４６】
いくつかの実施形態では、第１の支柱２１２及び／又は第２の支柱２１４を、第１の軸２３０及び第２の軸２３２の周囲でそれぞれ回転するように構成することができる。従って、可動構造２１０は、紫外線２０に曝される乗り物車両１２の表面の量を増加させることができる。換言すれば、第１の支柱２１２及び／又は第２の支柱２１４が第１の軸２３０及び／又は第２の軸２３２の周囲でそれぞれ回転すると、乗り物車両１２に紫外線２０が向けられる角度が調整され、これによって乗り物車両１２のさらなる表面が紫外線１２に曝されるようになる。これに加えて、又はこれとは別に、第１の支柱２１２、第２の支柱２１４及び／又は横断支柱２１６は、第１の支柱２１２及び第２の支柱２１４から離れて乗り物車両１２に向かって動くように構成されたバー２３４を含むことができる。従って、複数の紫外線源２１８の位置を、複数の紫外線源２１８が乗り物車両１２の表面近くに位置するように調整することができる。さらに、バー２３４は、第１の軸２３０及び／又は第２の軸２３２の周囲で回転して紫外線２０が乗り物車両１２に向けられる角度を調整し、これによって紫外線２０に曝される乗り物車両１２の表面の量を増加させるように構成することもできる。
【００４７】
また、可動構造２１０は、乗り物車両１２と共に一対の軌道２２０に沿って移動するように構成することもできる。いくつかの実施形態では、センサ２３６（例えば、近接センサ又は他の好適な位置センサ）を利用して、乗り物経路１６に沿った乗り物車両１２の位置を検出する。図示の実施形態に示すように、センサ２３６は可動構造２１０上に含まれる。他の実施形態では、センサ２３６が、乗り物経路１６に隣接して、及び／又は乗り物車両１２を検出するのに適した他の位置に配置される。いずれにせよ、一対の軌道２２０に沿った可動構造２１０の移動は、乗り物経路１２に沿った乗り物車両１２の位置を示すセンサ２３６からのフィードバックに基づいて開始又は別様に調整することができる。例えば、いくつかの実施形態では、乗り物車両１２が乗り物経路１６沿いの所定の位置に到達したことをセンサ２３６が検出するまで、可動構造２１０は実質的に静止している。センサ２３６は、可動構造２１０の制御システム２３８に通信可能に結合することができる。従って、センサ２３６からのフィードバックを利用して一対の軌道２２０に沿った可動構造２１０の移動を導く。さらに、センサ２３６は、可動構造２１０が一対の軌道２２０に沿って移動するにつれて、乗り物車両１２の位置を継続的にモニタすることができる。従って、制御システム２３８は、可動構造２１０の速度を乗り物車両１２の速度と（例えば、乗り物車両１２の速度の１０％以内、５％以内又は１％以内で）実質的に一致させるように構成することができる。
【００４８】
これに加えて、又はこれとは別に、制御システム２３８は、可動構造２１０の速度、及び／又は可動構造２１０が（例えば、一対の軌道２２０を介して）乗り物経路１６に沿って移動する距離を、所与の乗り物車両１２の所望の清浄化量に基づいて調整するように構成することができる。例えば、いくつかの実施形態では、乗り物車両１２が、複数の紫外線源２１８（又はノズル２１）によって除去すべき（例えば、カメラ、センサ又はオペレータによって検出された）望ましくない物質を比較的大量に含むことがある。この場合、可動構造２１０の速度及び／又は移動距離を、望ましくない物質を除去するのに適した時間にわたって乗り物車両１２が紫外線２０及び／又は洗浄液２６に曝されるように（例えば、制御システム２３８及び／又はオペレータを介して）調整することができる。この調整は、自動とする（例えば、予めプログラムしておく）ことも、又はオペレータ制御式とすることもできる。
【００４９】
図１０は、乗り物車両１２及び可動構造２１０の立面図である。図１０の例示的な実施形態に示すように、第１の支柱２１２、第２の支柱２１４及び横断支柱２１６の各々は、対応するバー２３４を含む。バー２３４は、伸縮マウント(telescoping mount)２４０を介して第１の支柱２１２、第２の支柱２１４及び／又は横断支柱２１６に結合することができる。伸縮マウント２４０は、第１の支柱２１２、第２の支柱２１４及び横断支柱２１６に向かう、及びこれらから離れるバー２３４の動きを可能にすることができる。これに加えて、又はこれとは別に、伸縮マウント２４０は、第１の軸２３０、第２の軸２３２及び／又は第３の軸２４２を中心としたバー２３４の回転を可能にすることもできる。従って、可動構造２１０は、紫外線２０及び／又は洗浄液２６が乗り物車両１２の表面からの複数の角度及び／又は複数の距離で乗り物車両１２の表面に向けられることを可能にすることができる。
【００５０】
いくつかの実施形態では、可動構造２１０が、乗り物経路１６に沿った乗り物車両１２の移動方向に対する降車領域１４０と乗車領域１４２との間で乗り物車両１２と共に乗り物経路１６に沿って移動するように構成される。他の実施形態では、可動構造２１０が、別の好適な位置で乗り物経路１６に沿って移動することができる。消毒ステーション１４は、乗り物経路１６に沿って配置された、複数の乗り物車両１２の清浄化を同時に可能にする複数の可動構造２１０を含むことができる。さらに、複数の可動構造２１０の各々は、乗り物経路１６の所定の部分に沿って移動して、現在所定の部分内に存在する乗り物車両１２に紫外線２０及び／又は洗浄液２６を向けるように構成することができる。他の実施形態では、複数の可動構造２１０の各々を、図８に関して上述した軌道２０４と同様の円形巡回路に沿って移動するように構成することができる。
【００５１】
図１１は、消毒システム１０の動作プロセス２６０のブロック図である。例えば、ブロック２６２において、制御システム１１２は、乗り物経路１６に沿った乗り物車両１２の位置を示すセンサ１１３（又は別の好適なセンサ）、及び／又は車両内の何か（例えば、乗り物車両内に残っている物品）が暴露を妨げているかどうかに関する情報を提供するセンサ（例えば、カメラ）からフィードバックを受け取ることができる。いくつかの実施形態では、乗り物車両が乗り物経路１６全体に沿って移動する際の乗り物車両１２の位置を制御システム１１２が検出するように、制御システム１１２を、乗り物経路１６沿いの様々な位置に配置された複数のセンサからフィードバックを受け取るように構成することができる。他の実施形態では、乗り物車両１２が消毒ステーション１４から所定の距離内に存在する時、乗り物車両１２が降車領域１４０と乗車領域１４２との間に存在する時、又はこれらの両方の時に、制御システム１１２が乗り物車両１２の位置を検出することができる。いくつかの実施形態では、センサが、紫外線２０が特定の表面に到達するのを乗り物車両１２内の何か（例えば、車両内に残されたゴミ）が妨げるようになるかどうかを検出することもでき、制御システム１１２は、これを利用して消毒システム１０を制御することができる。
【００５２】
さらに、ブロック２６４において、制御システム１１２は、乗り物車両１２が少なくとも降車領域１４０と乗車領域１４２との間に存在することを検出した時に、紫外線源１０１、固定紫外線源１１４、紫外線源１６０及び／又は複数の紫外線源２１８を作動させて乗り物車両１２の表面に向けて紫外線２０を送るように構成される。さらに、制御システム１１２は、乗り物車両１２が消毒ステーション１４から所定の距離内に位置する旨、その他の位置情報、及び／又は乗り物車両１２内で何かが識別されたかどうかを示すフィードバックを受け取るまで、紫外線源１０１、固定紫外線源１１４、紫外線源１６０及び／又は複数の紫外線源２１８の作動を遅らせることもできる。
【００５３】
また、いくつかの実施形態では、制御システム１１２を、乗り物車両１２がハウジング５２から所定の距離内に存在することを検出した際に消毒ステーション１４のハウジング５２のアクセスドア５０を作動させるように構成することができる。例えば、アクセスドア５０を作動させるための所定の距離は、紫外線源１０１及び／又は固定紫外線源１１４を作動させるための所定の距離を上回ることができる。また、制御システム１１２は、消毒ステーション１４のハウジング５２内に取り付けられた可動部材１００、及び／又は消毒ステーション１４の可動構造２１０に取り付けられたバー２３４を使用して、乗り物車両１２の表面に対する紫外線源１０１及び／又は複数の紫外線源２１８の位置を調整するように構成することもできる。例えば、可動部材１００は、内壁８４に対する紫外線源１０１の位置を可動部材１００が調整するようにハウジング５２の内壁８４に取り付けることができる。従って、紫外線源１０１は、乗り物車両１２の１又は２以上の表面に向けて紫外線２０を送ることができる。
【００５４】
これに加えて、又はこれとは別に、制御システム１１２は、乗り物車両１２の車内に位置する紫外線源１６０及び／又は１７８を作動させるように構成することもできる。上述したように、紫外線源１６０は、乗り物車両１２が乗車領域１４２と降車領域１４０との間に位置する時に、乗り物車両１２のコンパートメント１６２及び／又は１７２内に配置することができる。制御システム１１２は、乗り物車両１２が降車領域１４０と乗車領域１４２との間（例えば、乗り物車両１２上にゲストが存在しない乗り物経路１６の部分）に存在すると判断すると、紫外線源１６０が乗り物車両の表面に向けて紫外線２０を送ることができるように、可動部材１６６を作動させてコンパートメント１６２から紫外線源１６０を外に出すことができる。
【００５５】
本明細書では、本開示のいくつかの特徴のみを図示し説明したが、当業者には多くの修正及び変更が思い浮かぶであろう。従って、添付の特許請求の範囲は、本開示の正確な趣旨に従う全てのこのような修正及び変更を含むように意図されていると理解されたい。本明細書に示して特許請求する技術は、本技術分野を確実に改善する、従って抽象的なもの、無形のもの又は純粋に理論的なものではない実際的性質の有形物及び具体例を参照し、これらに適用される。さらに、本明細書の最後に添付するいずれかの請求項が、「．．．［機能］を［実行］する手段」又は「．．．［機能］を［実行］するステップ」として指定されている１又は２以上の要素を含む場合、このような要素は米国特許法１１２条（ｆ）に従って解釈すべきである。一方で、他のいずれかの形で指定された要素を含むあらゆる請求項については、このような要素を米国特許法１１２条（ｆ）に従って解釈すべきではない。
【図１】
2021519147.tif 000003
【図２】
2021519147.tif 000004
【図３】
2021519147.tif 000005
【図４】
2021519147.tif 000006
【図５】
2021519147.tif 000007
【図６】
2021519147.tif 000008
【図７】
2021519147.tif 000009
【図８】
2021519147.tif 000010
【図９】
2021519147.tif 000011
【図１０】
2021519147.tif 000012
【図１１】
2021519147.tif 000013
【国際調査報告】
2021519147.tif 000014
2021519147.tif 000015